(57)【要約】【課題】術後にワイヤの突出した足趾をもつリウマチ患者が体重をかけて歩くことを可能にする歩行補助装具を提供する。【解決手段】本考案に係る歩行補助装具は、底板１３と、底板の後部に設けられた、本歩行補助装具を足に固定するための固定具１４と、底板の先端にに設けられた、足趾を保護するための保護カバー１５と、を有する本体１１と、本体の上部に設けられ、足裏の形状に対応した形状を有する足底板１２と、を備える。これを用いれば、固定具及び足底板により本体が足に確実に固定され、その状態で、ワイヤの突出した足趾が保護カバーにより保護されるため、ワイヤの突出した足趾に異物が当たるなどして患者に痛みが生じるのを防止するともに、そのワイヤで周囲の人や物を傷つけるのを防ぐこともできる。従って、手術後もすぐに足に体重をかけて歩くことができ、歩行に必要な脚の筋肉が衰えるのを防ぐことができる。【選択図】図１
0003120807.tif 000002
【実用新案登録請求の範囲】
【請求項１】
リウマチ患者が手術後に足に装着する装具であって、
底板と、該底板の後部に設けられた、足に固定するための固定具と、該底板の先端に設けられた、足趾を保護するための保護カバーと、を有する本体と、
本体の上部に設けられ、足裏の形状に対応した形状を有する足底板と、
を備えることを特徴とする歩行補助装具。
【請求項２】
該固定具が、足の甲部を固定する足背部と、足首を固定する足首部と、から成る請求項１に記載の歩行補助装具。
【請求項３】
該足底板が、その表面の足裏の中足骨頭近位にゴム系弾性部材を、中足骨遠位にアクリル系弾性部材を備える請求項１又は２に記載の歩行補助装具。
【請求項４】
該足底板が本体に着脱可能に取り付けられている請求項１〜３のいずれかに記載の歩行補助装具。
【請求項５】
該本体に被覆が施されている請求項１〜４のいずれかに記載の歩行補助装具。
【考案の詳細な説明】
【技術分野】
【０００１】
本考案は、リウマチ患者が手術後に足に装着する歩行補助装具に関する。
【背景技術】
【０００２】
現在、外反扁平足等の重度のリウマチ患者に対しては、足趾にワイヤを挿入する手術（Swanson-Clayton術等）が行われている。非特許文献１に示すように、この手術が施された後、患者の足趾はその先からワイヤが突出した状態となっている。術後の患部を固定するためのサポータはあるものの、この状態で患者が足に体重をかけて歩こうとすると痛みが伴うため、ワイヤを抜き取る抜釘までの期間は通常のような歩行が困難となる。
【０００３】
従来は、術後から抜釘までの３週間程度の期間、患者は足全体を覆うギブスを装着することが多く、その間は踵（かかと）を使って歩いたり、車いすを使用したりする必要があった。しかし、通常の歩行ができないことから脚の筋肉が衰えてやせ細り、ギブスを取り外して再び通常の歩行を開始する際にも困難が伴っていた。
【０００４】
一方で、リウマチ患者がその症状に合わせて靴やインソール（足底板）をオーダーメイドすることが可能になっている。そのようにあつらえた靴や足底板を用いれば、歩行の際の足の痛みは軽減するものの、これらは上述したような手術後の足趾の状態に対応したものではなく、術後の歩行の困難を解消するものとは言えない。
【０００５】
また、特許文献１には、足にリウマチ等の障害をもつ人のための靴が開示されている。しかし、これも同様に、一般にリウマチを患う人の歩行時の足の痛みの軽減や外観上の問題を解決するために考案されたものであり、手術後のリウマチ患者の足を想定したものではないため、リウマチ患者が術後の歩行に用いるには不適である。
【０００６】
【非特許文献１】『新OS NOW 足部疾患の保存療法と手術療法』、MEDICAL VIEW社、2002年8月、p.141
【特許文献１】特開2000-139512号公報
【考案の開示】
【考案が解決しようとする課題】
【０００７】
本考案が解決しようとする課題は、術後にワイヤの突出した足趾をもつリウマチ患者が体重をかけて歩くことを可能にする歩行補助装具を提供することである。
【課題を解決するための手段】
【０００８】
上記課題を解決するために成された本考案に係る歩行補助装具は、底板と、該底板に設けられた、足に固定するための固定具と、該底板の先端に設けられた、足趾を保護するための保護カバーと、を有する本体と、本体の上部に設けられ、足裏の形状に対応した形状を有する足底板と、を備える。
【考案の効果】
【０００９】
本考案に係る歩行補助装具では、固定具及び足底板により本体が足に確実に固定され、その状態で、ワイヤの突出した足趾が保護カバーにより保護されるため、ワイヤの突出した足趾に異物が当たるなどして患者に痛みが生じるのを防止するともに、そのワイヤで周囲の人や物を傷つけるのを防ぐこともできる。従って、本考案に係る歩行補助装具を用いることにより、手術後もすぐに足に体重をかけて歩くことができ、歩行に必要な脚の筋肉が衰えるのを防ぐことができる。
【００１０】
さらに、足底板を本体から着脱可能とすることにより、ワイヤを抜釘した後は足底板を自分の靴用に再利用することができ、抜釘後に自分の靴で歩行する際にも痛みを軽減させることができる。
【考案を実施するための最良の形態】
【００１１】
本体の底板は、例えば足裏側のベースと床側の底材とで構成することができ、ベースにはプラスチック発泡材を、底材にはゴムを、それぞれ用いることができる。
【００１２】
固定具は、足の甲部を左右から巻くようにして固定する足背部と、足背部の踵側に設けられ足首を固定する足首部とで構成することができる。こうすることで、歩行時に装具が自重で足から離れたり前後に移動したりするのを防ぐことができる。その素材には、弾性を有するベルトを用いるのが望ましい。その弾性により、しっかりと足に固定することができる。
【００１３】
保護カバーは、固定具で本体を足に固定したときに、足先方向に充分な空間を確保し、足趾より突出したワイヤが保護カバーに接触しない位置に設ける。また、ガーゼや包帯等が巻かれた足部であっても接触しないよう、足の甲部の横方向、上方向ともに充分な空間を確保して設けることが望ましい。また、保護カバーには、装着中の蒸れを防ぐために通気穴を設けることができる。
【００１４】
保護カバーは、患部が外から目視できるよう透明または半透明の素材を用いて作製することができるが、不透明な素材を用いて作製してもよく、あるいは合皮素材等を用いて被覆を施してもよい。患部が視野に入らないようにすることで、心理的な苦痛をやわらげる効果が期待できる。
【００１５】
足底板は、例えば、芯材と、弾性部材と、芯材と本体の底板との隙間を埋める間挿部材とで構成することができる。芯材は、プラスチック材料を用いて、装着時に足裏と密着するよう患者の足裏の形状に合わせて作製する。これにより、前記固定具と相まって、本歩行補助装具がより確実に足に固定されるようになる。間挿部材は、芯材と本体の底板との隙間を埋めることにより、体重がかかったときの芯材のたわみを防ぐ。
【００１６】
芯材の表面には、足裏の部位に合わせて適切な弾性部材を設けることが望ましい。例えば、中足骨頭近位にはゴム系弾性部材を、中足骨遠位にはクッション性のより高いアクリル系弾性部材を用いることができる。このような構成とすれば、足先方向に貼られたゴム系弾性部材が歩行の際の装具内での足の滑りを防止し、アクリル系弾性部材が使用者の足にかかる圧力を均等に分散することができる。さらに、アクリル性弾性部材として多数の穴を有するものを用いれば、足への密着性を高めるとともに足の蒸れを抑制することができる。
【００１７】
足底板は、面ファスナー等を用いて本体に着脱可能に取り付けられている構成とすることができる。このような構成にすれば、ワイヤの抜釘後に本体から取り外して、自分の靴の中敷きとして再利用することができる。
【実施例】
【００１８】
以下、本考案に係る歩行補助装具１０の一実施例について、図面を参照しながら説明する。図１は本実施例の歩行補助装具１０の本体１１（ａ）と足底板１２（ｂ）の平面図、図２は本実施例の歩行補助装具１０の側面図である。本実施例の歩行補助装具１０は、足底板１２が本体１１に着脱可能に取り付けられている。
【００１９】
本体１１は、底板１３と固定具１４と保護カバー１５から成る。底板１３は、その足裏側に設けるプラスチック発泡材製のベース１６（例えば、エバースロン、ファイン社製）と、床側に設けるゴム製の底材１７（例えば、ノンスリップシート、大阪ヒューズ株式会社製）と、から成る。
【００２０】
底板１３には、本歩行補助装具１０を足に固定するための伸縮性の固定具１４が設けられている。固定具１４は、足の甲部を左右から巻くようにして固定する足背部１８（例えば、オペロン、５cm幅、東レ・デユポン株式会社製、登録商標）と、足背部１８の踵側に設けられ足首を固定する足首部１９（例えば、前記オペロン、2.5cm幅）から成り、両足背部１８の端部には面ファスナー２０（例えば、マジックテープ、株式会社クラレ製、登録商標）が設けられている。
【００２１】
底板１３の足先側には、軟性プラスチック製の保護カバー１５（例えば、エルコフレックス、エルコデント社製）は、装着した足が接触しない程度に、足先方向、足の甲部の横方向、上方向ともに充分な空間を確保して設けられている。
【００２２】
足底板１２は、装着時に足裏に密着するよう患者の足裏の形状に対応した形状に作製されたプラスチックシート材製の芯材２１（例えば、ソリッドＲ、１mm厚、大興工業製）を有し、芯材２１の表面には、中足骨頭近位にゴム系弾性部材２２（例えば、ルナフレックス、３mm厚、アドバンフィット株式会社製）が、中足骨頭遠位にアクリル系弾性部材２３（例えば、アサテック、５mm厚、大興工業製）が、それぞれ貼り付けられている。プラスチック発泡材製の間挿部材２４（例えば、ＲＨフォーム、大興工業製）が芯材２１と本体１１の底板１３との隙間を埋め、芯材２１のたわみを防いでいる。
【００２３】
本実施例の歩行補助装具１０は、本体１１のベース１６の表面および足底板１２の裏面に設けられた面ファスナー２５（例えば、前記マジックテープ）によって、足底板１２が本体１１に着脱可能に取り付けられている。
【００２４】
本実施例の歩行補助装具１０は以下のように装着する。まず、面ファスナー２５で本体１１に固定された足底板１２の上に足裏を密着させるように足を置く。次に、底板１２に設けられた固定具１４の足背部１８を左右から足の甲部に巻き付け、面ファスナー２０で固定する。このとき、足首部１９は足背部１８との間で足首を固定する。このようにして、足を持ち上げる際に装具が自重で足から離れないようにすることができるとともに、前後に移動するのを防ぐことができる。
【００２５】
このようにして、固定具１４及び足底板１２により本体１１が足に確実に固定され、その状態で、ワイヤの突出した足趾が保護カバー１５により保護されるため、ワイヤの突出した足趾に異物が当たるなどして患者に痛みが生じるのを防止するともに、そのワイヤで周囲の人や物を傷つけるのを防ぐこともできる。従って、本実施例の歩行補助装具１０を用いれば、手術後もすぐに足に体重をかけて歩くことができ、歩行に必要な脚の筋肉が衰えるのを防ぐことができる。また、ワイヤを抜釘した後は、足底板１２を自分の靴の中敷きとして再利用することができる。
【図面の簡単な説明】
【００２６】
【図１】本考案に係る歩行補助装具の一実施例の本体(a)と足底板(b)の平面図
【図２】実施例の歩行補助装具の側面図
【符号の説明】
【００２７】
１０…歩行補助装具
１１…本体
１２…足底板
１３…底板
１４…固定具
１５…保護カバー
１６…ベース
１７…底材
１８…足背部
１９…足首部
２０…面ファスナー
２１…芯材
２２…ゴム系弾性部材
２３…アクリル系弾性部材
２４…間挿部材
２５…面ファスナー
【図１】
0003120807.tif 000003
【図２】
0003120807.tif 000004